(57)【要約】【課題】マガジンに対する連結止具の着脱を簡便に行うことができる打込機を提供すること。【解決手段】複数の釘（止具）１２ａを連結して成る連結釘（連結止具）１２を装填可能なマガジン６と、該マガジン６に装填された前記連結釘１２の脱落を防止するためのストッパ８を備えた打込機において、前記ストッパ８を前記マガジン６に対して傾倒可能に支持するとともに、該ストッパ８の一端に形成された操作部８ｂを前記マガジン６の外部に露出せしめ、同ストッパ８の他端に形成された係止部８ｄを前記マガジン６の案内溝６ｃに臨ませる。又、ストッパ８をその係止部８ｄがマガジン６の案内溝６ｃを塞ぐ方向に付勢するスプリング（付勢手段）１１を設ける。【選択図】図６
2007283451.tif 000002
【特許請求の範囲】
【請求項１】
複数の止具を連結して成る連結止具を装填可能なマガジンと、該マガジンに装填された前記連結止具の脱落を防止するためのストッパを備えた打込機において、
前記ストッパを前記マガジンに対して傾倒可能に支持するとともに、該ストッパの一端に形成された操作部を前記マガジンの外部に露出せしめ、同ストッパの他端に形成された係止部を前記マガジンの案内溝に臨ませたことを特徴とする打込機。
【請求項２】
前記ストッパをその係止部が前記マガジンの案内溝を塞ぐ方向に付勢する付勢手段を設けたことを特徴とする請求項１記載の打込機。
【請求項３】
前記ストッパを前記マガジンの後端部に配置するとともに、その操作部をマガジン端面から１００ｍｍ以内に位置させたことを特徴とする請求項１又は２記載の打込機。
【請求項４】
前記ストッパを不動態皮膜が形成された金属材で構成したことを特徴とする請求項１〜３の何れかに記載の打込機。
【発明の詳細な説明】
【技術分野】
【０００１】
本発明は、マガジン内に装填された複数本の釘等の止具を１本ずつ打込部の通路へと順次供給しながら該止具を被打込材に連続的に打ち込むための釘打機等の打込機に関するものである。
【背景技術】
【０００２】
従来の打込機の一例として空気式釘打機の構造を図８に示す。
【０００３】
図８は従来の釘打機１０１の斜視図であり、図示の釘打機１０１は、外郭部材であるハウジング１０２と、該ハウジング１０２から略直角に延びるハンドル１０３と、ハウジング１０２の打込側である先端側に設けられたノーズ１０５と、該ノーズ１０５とハンドル１０３に斜めに取り付けられた矩形ボックス状のマガジン１０６等を備えている。そして、マガジン１０６には、弾性を有する板バネ状のストッパ１０８が配置されている。
【０００４】
上記マガジン１０６の内部構造を図９に示すが、該マガジン１０６の内部には、多数の釘１１２ａを互いに連結して成るバンド状の連結釘１１２が装填されており、この連結釘１１２から釘１１２ａが１本ずつノーズ１０５の不図示の通路内に順次供給され、この釘１１２ａは不図示のブレードによってノーズ１０５の先端から押し出されて木材等の不図示の被打込材に打ち込まれる。
【０００５】
ここで、前記ストッパ１０８は、連結釘１１２の脱落を阻止する機能を果たすものであって、図９に示すように、マガジン１０６の釘充填口１０６ｄ近くの後部の釘列案内面１０６ｅに取り付けられている。このストッパ１０８の端部には、くの字状に折曲された逆止爪１０８ａが形成されており、この逆止爪１０８ａには、連結釘１１２のノーズ１０５方向への移動を許容するテーパ部１０８ｂと、連結釘１１２に係合してそのマガジン１０６からの脱落を阻止する係止部１０８ｃとが設けられている（例えば、特許文献１参照）。
【特許文献１】特開２００６−０２６７８８号公報
【発明の開示】
【発明が解決しようとする課題】
【０００６】
ところが、上記従来の釘打機１０１では、図１０及び図１１に示すように、バンド状の連結釘１１２をマガジン１０６内に装填する際には該連結釘１１２をマガジン１０６の端部に開口する釘充填口１０６ｄから矢印方向に挿入するが、このとき、連結釘１１２はストッパ１０８のテーパ部１０８ｂを乗り越えるために該連結釘１１２を手で順次送るか、或は装填中の連結釘１１２を次の連結釘で押す必要があるという操作上の欠点があった。
【０００７】
又、作業途中に釘１１２ａのサイズを変更する場合等においては、連結釘１１２を別のサイズのものに取り替える必要があり、このような場合には、ストッパ１０８を指で押さえてその係止爪１０８ａを撓ませ、該係止爪１０８ａの係止部１０８ｃの連結釘１１２との係合を解除して連結釘１１２を手或は他の手段で引き出す必要があり、その作業が煩わしく、連結釘１１２をマガジン１０６から落下させてこれに損傷を与える可能性があった。
【０００８】
本発明は上記問題に鑑みてなされたもので、その目的とする処は、マガジンに対する連結止具の着脱を簡便に行うことができる打込機を提供することにある。
【課題を解決するための手段】
【０００９】
上記目的を達成するため、請求項１記載の発明は、複数の止具を連結して成る連結止具を装填可能なマガジンと、該マガジンに装填された前記連結止具の脱落を防止するためのストッパを備えた打込機において、前記ストッパを前記マガジンに対して傾倒可能に支持するとともに、該ストッパの一端に形成された操作部を前記マガジンの外部に露出せしめ、同ストッパの他端に形成された係止部を前記マガジンの案内溝に臨ませたことを特徴とする。
【００１０】
請求項２記載の発明は、請求項１記載の発明において、前記ストッパをその係止部が前記マガジンの案内溝を塞ぐ方向に付勢する付勢手段を設けたことを特徴とする。
【００１１】
請求項３記載の発明は、請求項１又は２記載の発明において、前記ストッパを前記マガジンの後端部に配置するとともに、その操作部をマガジン端面から１００ｍｍ以内に位置させたことを特徴とする。
【００１２】
請求項４記載の発明は、請求項１〜３の何れかに記載の発明において、前記ストッパを不動態皮膜が形成された金属材で構成したことを特徴とする。
【発明の効果】
【００１３】
請求項１記載の発明によれば、ストッパの一端に形成された操作部を押すことによってストッパを傾倒させ、その他端に形成された係止部をマガジンの案内溝から退避させれば、該係止部は連結止具の通過を許容するため、連結止具をマガジンに対して抵抗無くスムーズに出し入れすることができ、マガジンに対する連結止具の着脱を短時間で簡便に行うことができる。
【００１４】
請求項２記載の発明によれば、ストッパに操作力（外力）が作用しない状態では、該ストッパはその係止部がマガジン内の案内溝を塞ぐ方向に付勢されているため、マガジン内に装填された連結止具はストッパの係止部によって係止されてマガジンからの脱落が確実に防がれ、その落下による損傷が防止される。
【００１５】
請求項３記載の発明によれば、ストッパをマガジンの後端部に配置してその操作部をマガジン端面から１００ｍｍ以内、つまり作業者がマガジンを手で持って指が届く範囲内に位置させたため、ストッパの操作部を容易に操作して連結止具のマガジンに対する着脱を作業性良く行うことができる。
【００１６】
請求項４記載の発明によれば、ストッパを不動態皮膜が形成された金属材（例えばステンレス鋼）で構成したため、作業者がストッパに触れても該ストッパに錆が発生することがない。
【発明を実施するための最良の形態】
【００１７】
以下に本発明の実施の形態を添付図面に基づいて説明する。
【００１８】
図１は本発明に係る打込機の一形態としての釘打機の側面図、図２は同釘打機のマガジン後端部の拡大側面図、図３は連結釘の装填方法を示すマガジン後端部の斜視図、図４は連結釘装填時のストッパの状態を示すマガジン後端部の断面図、図５はストッパを操作している状態を示すマガジン後端部の斜視図、図６はマガジン後端部の断面図、図７はストッパが連結釘を係止している状態を示すマガジン後端部の断面図である。
【００１９】
図１に示す釘打機１は、外郭部材であるハウジング２と、該ハウジング２から略直角に延びるハンドル３と、該ハンドル３の端部に着脱可能に装着された電池４と、ハウジング２の打込側である先端側に設けられたノーズ５と、該ノーズ５とハンドル３に取り付けられたアルミニウム製の矩形ボックス状のマガジン６等を備えている。そして、ハンドル３にはスイッチ７が設けられており、マガジン６の後端部にはプラスチック樹脂製のマガジンカバー６’が取り付けられ、このマガジンカバー６’の一側面（図１及び図２の手前側の面）には、例えばステンレス板製のストッパ８が配置されている。
【００２０】
上記マガジンカバー６’の一側面には、図４に示すように、円柱状のボス６ａが一体に突設されるとともに、矩形の開口部６ｂが形成されている。そして、ボス６ａには前記ストッパ８の基端部８ａが移動可能に挿通しており、ストッパ８は、ボス６ａの端面にネジ９によって結着されたワッシャ１０によってボス６ａからの抜け止めが図られるとともに、ボス６ａの外周に縮装されたスプリング１１によって常時外側方（図４の上方）に付勢されて前記ワッシャ１０に押圧されている。
【００２１】
上記ストッパ８の基端部８ａは、矩形平板状に成形されてマガジンカバー６’の外側に位置しており、その後端部には外側方（図４の上方）に向かって斜めに起立する操作部８ｂが形成されている。又、ストッパ８の基端部８ａからは前方（図４の左方）に向かって斜めに延びるテーパ部８ｃが一体に形成されており、このテーパ部８ｃはマガジンカバー６’に形成された前記開口部６ｂを通過してマガジン６内の案内溝６ｃへと延びている。そして、このテーパ部８ｃの案内溝６ｃに臨む先端部には直角に起立する係止部８ｄが一体に形成されており、操作部８ｂは、マガジンカバー６’の端面から前方へ１００ｍｍ以内の範囲（図４に示すｄの範囲）に位置している。ここで、ストッパ８は不動態皮膜が生成された金属材（例えばステンレス鋼）作業者がストッパ８（特に操作部８ｂ）に触れても該ストッパ８に錆が発生することがない。
【００２２】
従って、ストッパ８は、これに何らの操作力（外力）が作用しない状態では、図４及び図７に示すように、スプリング１１の付勢力によってワッシャ１０に密着しており、その基端部８ａはマガジンカバー６’の外側面と平行を成しており、係止部８ｄはマガジン６内の案内溝６ｃに臨んで該案内溝６ｃを塞いでいる。又、ストッパ８の操作部８ｂは、常時、マガジンカバー６’の外側に露出している。
【００２３】
而して、多数の釘１２ａを連結して成るベルト状の連結釘１２をマガジン６内に装填するには、図３及び図４に示すように、連結釘１２をマガジン６の後端に開口する釘充填口６ｄからマガジン６内の案内溝６ｃへと手又は次の連結釘（不図示）によって押し込む。すると、連結釘１２はストッパ８のテーパ部８ｃに当接して該テーパ部８ｃを乗り越えて案内溝６ｃの奥側へと順次挿入されてマガジン６内に装填される。
【００２４】
或は、図５及び図６に示すように、連結釘１２の装填に際してはストッパ８の操作部８ｂを矢印方向に押せば、ストッパ８がスプリング１１の付勢力に抗して図示のようにマガジンカバー６’に設けた支点６ｅから斜めに傾き、その先端側の係止部８ｄが案内溝６ｃ内で浮き上がって連結釘１２との接触が回避されるため、連結釘１２をそのまま抵抗無くマガジン６内の案内溝６ｃの奥へとスムーズに押し込んでこれを容易に装填することができる。又、作業の途中で釘１２ａのサイズを変更する必要が生じたために、連結釘１２を別のサイズのものと交換する場合にも、図５及び図６に示すようにストッパ８の操作部８ｂを矢印方向に押せば、今まで使用していた連結釘１２をマガジン６から容易に取り出すことができ、別のサイズの連結釘をそのままマガジン６内に抵抗無く押し込んでこれを容易に装填することができる。
【００２５】
そして、上述のようにして連結釘１２がマガジン６内に装填されると、図７に示すように、ストッパ８の先端の係止部８ｄがマガジン６内の案内溝６ｃに臨んで連結釘１２の末端部を係止するため、連結釘１２のマガジン６からの脱落が確実に防がれ、該連結釘１２がマガジン６から落下してこれが損傷を受けるという従来の問題が解消される。
【００２６】
以上のように、本実施の形態に係る釘打機１によれば、ストッパ８の一端に形成された操作部８ｂを押すことによって該ストッパ８をスプリング１１の付勢力に抗して傾倒させ、その他端に形成された係止部８ｄをマガジン６の案内溝６ｃ内から退避させれば、該係止部８ｄは連結釘１２の通過を許容するため、連結釘１２をマガジン６に対して抵抗無くスムーズに出し入れすることができ、マガジン６に対する連結釘１２の着脱を短時間で簡便に行うことができる。
【００２７】
又、ストッパ８をマガジン６の後端部に配置してその操作部８ｂをマガジン６の端面から１００ｍｍ以内、つまり作業者がマガジン６を手で持って指が届く範囲内に位置させたため、ストッパ８の操作部８ｂを容易に操作して連結釘１２のマガジン６に対する着脱を作業性良く行うことができる。
【００２８】
尚、以上は止具として特に釘を打ち込むための釘打機について説明したが、本発明は、ピンやステープラー等の他の止具を打ち込むための他の任意の打込機に対しても同様に適用することができることは勿論である。
【００２９】
又、以上の実施の形態では、本発明を燃焼式釘打機に適用した場合について説明したが、本発明は、電気式、空気式等、他の任意の駆動方式を採用する釘打機、その他の打込機に対しても同様に適用可能である。
【図面の簡単な説明】
【００３０】
【図１】本発明に係る釘打機の側面図である。
【図２】本発明に係る釘打機のマガジン後端部の拡大側面図である。
【図３】本発明に係る釘打機における連結釘の装填方法を示すマガジン後端部の斜視図である。
【図４】本発明に係る釘打機における連結釘装填時のストッパの状態を示すマガジン後端部の断面図である。
【図５】本発明に係る釘打機におけるストッパを操作している状態を示すマガジン後端部の斜視図である。
【図６】本発明に係る釘打機のマガジン後端部の断面図である。
【図７】本発明に係る釘打機のストッパが連結釘を係止している状態を示すマガジン後端部の断面図である。
【図８】従来の釘打機の斜視図である。
【図９】従来の釘打機のマガジン後端部の断面図である。
【図１０】従来の釘打機における連結釘の装填方法を示す部分斜視図である。
【図１１】従来の釘打機における連結釘の装填方法を示す部分斜視図である。
【符号の説明】
【００３１】
１    釘打機（打込機）
２    ハウジング
３    ハンドル
４    電池
５    ノーズ
６    マガジン
６’  マガジンカバー
６ａ  ボス
６ｂ  開口部
６ｃ  案内溝
６ｄ  釘充填口
６ｅ  支点
７    スイッチ
８    ストッパ
８ａ  基端部
８ｂ  操作部
８ｃ  テーパ部
８ｄ  係止部
９    ネジ
１０  ワッシャ
１１  スプリング（付勢手段）
１２  釘（止具）
１２ａ  連結釘（連結止具）
【図１】
2007283451.tif 000003
【図２】
2007283451.tif 000004
【図３】
2007283451.tif 000005
【図４】
2007283451.tif 000006
【図５】
2007283451.tif 000007
【図６】
2007283451.tif 000008
【図７】
2007283451.tif 000009
【図８】
2007283451.tif 000010
【図９】
2007283451.tif 000011
【図１０】
2007283451.tif 000012
【図１１】
2007283451.tif 000013